(57)【要約】【課題】  意図した選択可能オブジェクトを容易に正しく選択できるポインティングデバイス通知装置および方法を得る。【解決手段】  ＰＤ装置４１を使用し、ＰＤカーソルを表示する動作を行うと、ＰＤ機能が表示機能部５にＰＤカーソルの表示指示を出し、表示装置５１にＰＤカーソルの表示を行う。次にＰＤ装置４１を使用し、ＰＤカーソルの移動動作を行うと、ＰＤ機能部４は、次に表示装置５１のどの座標にＰＤカーソルを表示すべきかを計算し、移動先座標ｘｙを割り出し、その移動先座標ｘｙを選択オブジェクト検出機能部２１１へ渡す。選択オブジェクト選択機能部２１１は、現在表示装置５１に表示されている移動先座標ｘｙの表示内容情報ｓを取得する。取得した表示内容情報ｓが選択可能オブジェクトであり、かつ選択可能状態である場合、バイブレータ機能部３に携帯電話機１を振動させるように指示を出す。これにより、表示画面の比較的小さなＰＤ装置を搭載した携帯端末において、利用者に選択可能オブジェクトの存在を容易に通知する。【選択図】  図２
2005044241.tif 000002
【特許請求の範囲】
【請求項１】
選択可能なオブジェクトと該オブジェクトをポインティングするＰＤカーソルを表示する表示装置と、
前記ＰＤカーソルの表示および移動動作を制御するＰＤ装置と、
前記オブジェクトと前記ＰＤカーソルとの表示位置の係わりで前記オブジェクトの選択の有無を識別するアプリケーションと、
バイブレータ機能を稼動させるバイブレータ装置とを有し、
前記オブジェクトの選択位置を前記バイブレータ機能により認識可能としたことを特徴とするポインティングデバイス通知装置。
【請求項２】
前記バイブレータ機能の稼動と、前記オブジェクトと前記ＰＤカーソルとの表示位置との係わりで、該オブジェクトの選択操作を容易化したことを特徴とする請求項１に記載のポインティングデバイス通知装置。
【請求項３】
前記バイブレータ機能の稼動中に、前記ＰＤカーソルの表示色の変化、フラッシュ表示等の、表示形態の変化をさせたことを特徴とする請求項１または２に記載のポインティングデバイス通知装置。
【請求項４】
オブジェクトを表示するオブジェクト表示ステップと、
ＰＤ（ポインティングデバイス）カーソルを表示するカーソル表示ステップと、
前記ＰＤカーソルの移動動作を行うカーソル移動ステップと、
前記ＰＤカーソルの表示位置を管理し、前記オブジェクト表示と前記カーソル表示の相互の表示位置の重なりの有無を検出する表示位置管理ステップと、
前記表示位置の重なり発生時にバイブレータを駆動させる振動発生ステップとを有したことを特徴とするポインティングデバイス通知方法。
【請求項５】
前記オブジェクト表示と前記カーソル表示の相互の表示位置の重なり発生時に、被選択オブジェクトの表示色の変更、または／および、フラッシュ表示を行うことを特徴とする請求項４記載のポインティングデバイス通知方法。
【請求項６】
前記オブジェクト表示と前記カーソル表示の相互の表示位置の重なり発生時に、発音を行うことを特徴とする請求項４または５に記載のポインティングデバイス通知方法。
【発明の詳細な説明】
【技術分野】
【０００１】
本発明は、ポインティングデバイス通知装置および同方法に関し、たとえば、ポインティングデバイス利用時の選択可能オブジェクト通知操作に係わるポインティングデバイス通知装置および通知方法に関する。
【背景技術】
【０００２】
従来の携帯端末のブラウザでは、ポインティングデバイス通知の操作において、選択可能状態にある上下左右の操作キーを用いて、選択可能オブジェクトをポインティング移動目標の照準として、移動を実行している。このＰＤ（ポインティングデバイス）装置の搭載により、ＰＤカーソルで画面上の選択可能オブジェクトを自由に選択可能としている。
さらに、携帯移動通信器の背面側にポインティングデバイスを設けポインタの操作性の向上を図ったり（特許文献１参照）、操作入力が受付けられた場合に、振動アクチュエータを振動させ、画面を見ずに応答を確認できるようにしたり（特許文献２参照）、裏面にカーソル操作用のトラックボールを装備したり（特許文献３参照）、している。
【特許文献１】特開２００１−１８９７９２公報
【特許文献２】特開２００２−１４９３１２公報
【特許文献３】特開平１０−２２４８４０号公報
【発明の開示】
【発明が解決しようとする課題】
【０００３】
上記従来の技術において、解決しようとする問題点は、特に従来の携帯端末の小さな表示装置では、ＰＤカーソルが選択可能オブジェクト上にあるか否かを視認し難い点にある。この問題点において、意図した選択可能オブジェクトを容易に正しく選択できない事態を生じさせる。この熟練的な操作を必要とする点を本発明が解決しようとする課題とする。
【０００４】
また、ＰＣやＰＤＡといったディスプレイ装置が大きな端末では、ブラウザで（カーソルを自由に移動し）選択可能オブジェクト上にカーソルが来ると、カーソル表示の形状や色などを変えることで、利用者に選択可能オブジェクトの存在を通知する。これにより、通常は選択可能オブジェクトには見えない箇所であっても、利用者には選択可能オブジェクトとして認識できる。よって、それを活かして様々な趣向を凝らしたコンテンツが実現可能となる。しかし、携帯端末の表示装置は、表示サイズが小さいため本方式には適さない場合がある。
【０００５】
本発明は、以上のような問題点を解決するために、表示画面の比較的小さなＰＤ装置を搭載した携帯端末において、利用者に選択可能オブジェクトの存在を容易に通知する、ポインティングデバイス通知装置および同方法を提供することを目的とする。
【課題を解決するための手段】
【０００６】
請求項１に記載の本発明のポインティングデバイス通知装置は、選択可能なオブジェクトと該オブジェクトをポインティングするＰＤカーソルを表示する表示装置と、ＰＤカーソルの表示および移動動作を制御するＰＤ装置と、オブジェクトとＰＤカーソルとの表示位置の係わりでオブジェクトの選択の有無を識別するアプリケーションと、バイブレータ機能を稼動させるバイブレータ装置とを有し、オブジェクトの選択位置をバイブレータ機能により認識可能とするとよい。
【０００７】
請求項２に記載の発明は請求項１記載の発明において、上記バイブレータ機能の稼動と、オブジェクトとＰＤカーソルとの表示位置との係わりで、該オブジェクトの選択操作を容易化したことを特徴とする。
【０００８】
請求項３に記載の発明は請求項１または２に記載の発明において、上記バイブレータ機能の稼動中に、ＰＤカーソルの表示色の変化、フラッシュ表示等の、表示形態の変化をさせたことを特徴とする。
【０００９】
請求項４に記載の発明のポインティングデバイス通知方法は、オブジェクトを表示するオブジェクト表示ステップと、ＰＤ（ポインティングデバイス）カーソルを表示するカーソル表示ステップと、ＰＤカーソルの移動動作を行うカーソル移動ステップと、ＰＤカーソルの表示位置を管理し、オブジェクト表示とカーソル表示の相互の表示位置の重なりの有無を検出する表示位置管理ステップと、表示位置の重なり発生時にバイブレータを駆動させる振動発生ステップとを有するとよい。
【００１０】
請求項５に記載の発明は請求項４記載の発明において、オブジェクト表示とカーソル表示の相互の表示位置の重なり発生時に、被選択オブジェクトの表示色の変更、または／および、フラッシュ表示を行うことを特徴とする。
【００１１】
請求項６に記載の発明は請求項４または５に記載の発明において、オブジェクト表示とカーソル表示の相互の表示位置の重なり発生時に発音を行うとよい。
【発明の効果】
【００１２】
本発明は以下の効果を奏する。
第１に、ＰＤ操作の利便性の向上が図れる。例えば、携帯電話機のような小さな画面上でも、ＰＤカーソルが選択可能オブジェクト上にあるか否かを容易に判断できる。
第２に、選択可能オブジェクトの表示方法やレイアウトにおける自由度が高くなるので、コンテンツの表現の幅が広がる。例えば、選択可能オブジェクトを下線や文字色などで明示しなくとも、利用者は振動によって、カーソル位置に選択可能オブジェクトが存在することを認識できる。
【発明を実施するための最良の形態】
【００１３】
実施形態の要点は、画像の一部分を選択可能オブジェクトに設定すること、または、何も表示していない箇所に選択可能オブジェクトを設定する点にある。本構成の内容を、以下に詳述する。
【実施例１】
【００１４】
添付図面を参照して本発明によるポインティングデバイス通知装置および通知方法の実施の形態を詳細に説明する。図１から図３を参照すると、本発明のポインティングデバイス通知装置および通知方法の実施例１が示されている。
【００１５】
構成例の詳細を、図１に基づき以下において説明する。
本発明は、例えば、携帯電話機でポインティングデバイス（以降単に「ＰＤ」とも言う）を使用してブラウザのコンテンツ参照およびメニュー参照等を行った時に、ＰＤのカーソルが選択可能オブジェクト上に移動または通過した時に、携帯電話機のバイブレータ機能部を使用して、利用者に選択可能オブジェクトの存在を通知する構成に関するものである。なお、本操作において、ＰＤのカーソルを、選択可能オブジェクト上に停止させる必要はない。本図１は、携帯電話器の表示画面例であり、符号Ｅ１、Ｅ２、Ｅ３は、操作手順に伴なう表示状態の変化の状態例を示している。本構成の内用を、以下に詳述する。
【００１６】
図１の表示画面例Ｅ１において、ＰＤのカーソルは、表示画面中の表示文字例「上映映画一覧」をポインティング中である。このポインティングは、利用者がＰＤを操作することにより、表示装置上で自在に移動するものとする。
表示画面例Ｅ２において、ＰＤのカーソルは、表示画面中の表示文字例「映画ＭＡＰ」をポインティング中である。本表示画面Ｅ２では、ＰＤのカーソルが、選択可能オブジェクト上に移動または通過したものとする。
表示画面例Ｅ３において、携帯電話機が振動している状態を表している。例えば、バイブレータ装置が振動して、利用者に通知する等である。
上記の手順により、利用者の操作に基づき、ＰＤのカーソルが選択可能オブジェクト上に移動または通過したことを、利用者に容易に判断させることが可能となる。
【００１７】
図２を参照すると、携帯電話機１は、ＰＤ機能部４を有するＰＤ装置４１、バイブレータ機能部３を有するバイブレータ装置３１、表示装置５１を有する表示機能部５、ブラウザ２１とアプリケーション（装置）２２を有するアプリケーション機能部２から構成される。
ＰＤ機能部４は、ＰＤ装置４１の動作によりＰＤカーソルの表示、移動を制御する処理を行う。
【００１８】
バイブレータ機能部３は、バイブレータ装置３１の動作を制御し、携帯電話機１を振動させる処理を行う。
表示機能部５は、アプリケーションの表示内容の要点を表示装置５１に表示させる処理行う。
アプリケーション２には、予めブラウザ２１、ＰＤで使用可能なアプリケーション２２などのアプリケーションが組み込まれているものとする。
【００１９】
本実施例は、携帯電話機１に搭載されているＰＤを、使用可能な全てのアプリケーションへの適用が有効である。
ブラウザ２１に含まれる選択可能オブジェクト検出機能部２１１は、表示装置５１での座標を指定することにより、指定座標に表示中の内容の情報(以降、表示内容情報)を取得し、指定座標が選択可能オブジェクトか否かを判断し、バイブレータ機能部３にバイブレータ装置３１を振動させるように指示を出す処理を行う。
【００２０】
（動作手順例）
図３は、動作手順例を示したフローチャートである。本図３を参照して、本実施例の動作例について説明する。
ＰＤ装置４１を使用し、ＰＤカーソルを表示する動作を行うと（ステップＡ１）、ＰＤ機能が表示機能部５にＰＤカーソルの表示指示を出し、表示装置５１にＰＤカーソルの表示を行う（ステップＡ２）。
【００２１】
次にＰＤ装置４１を使用し、ＰＤカーソルの移動動作を行うと（ステップＡ３）、ＰＤ機能部４は、次に表示装置５１のどの座標にＰＤカーソルを表示すべきかを計算し、移動先座標ｘｙを割り出し、その移動先座標ｘｙを選択オブジェクト検出機能部２１１へ渡す（ステップＡ４）。
選択オブジェクト選択機能部２１１は、現在表示装置５１に表示されている移動先座標ｘｙの表示内容情報ｓを取得する（ステップＡ５）。
取得した表示内容情報ｓが選択可能オブジェクトであり（ステップＡ６／ＹＥＳ）、かつ選択可能状態である場合（ステップＡ７／ＹＥＳ）、バイブレータ機能部３に携帯電話機１を振動させるように指示を出す。
その指示を受けたバイブレータ機能部３は、バイブレータ装置３１を駆動して振動させる（ステップＡ８）。ステップＡ２へ戻りＰＤカーソルを移動先座標ｘｙに表示する。
【実施例２】
【００２２】
次に、図４および図５を参照して、本発明の実施例２について説明する。図４および図５を参照すると、本発明のポインティングデバイス通知装置および同方法の実施例２が示されている。本実施例２は、上記の実施例１と比較して、図２の構成図の「３：バイブレータ機能部」、「３１：バイブレータ装置」を、図４の「Ｒ３：音声発声機能部」、「Ｒ３１：スピーカ装置」に置き換える。また、図３のフローチャートのステップＡ８の「携帯電話振動処理」を、図５の「音声発声処理」に置き換えて、構成される。本実施例２の動作について以下に説明する。
【００２３】
ＰＤ装置４１を使用してＰＤカーソルを表示する動作を行うと、ＰＤ機能部が表示機能部５にＰＤカーソルの表示指示を出し、表示装置５１にＰＤカーソルの表示を行う。
次に、ＰＤ装置４１を使用してＰＤカーソルの移動動作を行うと、ＰＤ機能部４は次に表示装置５１のどの座標にＰＤカーソルを表示すべきかを計算し、移動先座標ｘｙを割り出し、その移動先座標ｘｙを選択オブジェクト検出機能部２１１へ渡す。
【００２４】
選択オブジェクト選択機能部２１１は、現在表示装置５１に表示されている移動先座標ｘｙの表示内容情報ｓを取得する。
取得した情報ｓが選択可能オブジェクトであり、かつ選択可能状態である場合、音声発声機能部Ｒ３に音声を発声するように指示を出す。
その指示を受けた音声発声機能部Ｒ３は、スピーカ装置Ｒ３１に発声させる。ステップＡ２へ戻りＰＤカーソルを移動先座標ｘｙに表示する。
【図面の簡単な説明】
【００２５】
【図１】ポインティングデバイス通知装置および同方法へ適用される通信システム図である。
【図２】実施例１の通信システムの構成例を示している。
【図３】実施例１の通信システムの動作手順例を示したフローチャートである。
【図４】実施例２の通信システムの構成例を示している。
【図５】実施例２の通信システムの動作手順例を示したフローチャートである。
【符号の説明】
【００２６】
１    携帯電話機
２    アプリケーション機能部
３    バイブレータ機能部
Ｒ３    音声発声機能部
４    ＰＤ機能部
５    表示機能部
２１    ブラウザ
２２    アプリケーション（装置）
３１    バイブレータ装置
Ｒ３１    スピーカ装置
４１    ＰＤ装置
５１    表示装置
２１１    選択可能オブジェクト検出機能部
【図１】
2005044241.tif 000003
【図２】
2005044241.tif 000004
【図３】
2005044241.tif 000005
【図４】
2005044241.tif 000006
【図５】
2005044241.tif 000007